(57)【要約】【課題】  低漏れ電流を展示し、さらに、公知装置の生産費より安い生産費をもち公知装置よりコンパクトである工作機械のＥＭＣフィルタを提供する。【解決手段】  工作機械の有効電磁互換性フィルタは大きな相対アースコンデンサにより通常には誘導された漏れ電流を減少できる。このフィルタは有効分岐モジュール或いはインピーダンスコンバータ或いは修正信号発生器から成り、三相と単相応用の両方に適している。
2008530964.tif 000002
【特許請求の範囲】
【請求項１】
電気工作機械（３１）と前記電気工作機械の供給ラインに挿入された電磁互換性フィルタとから成り、前記電磁互換性フィルタが前記供給ラインから不望の干渉を抑圧する能動回路から成ることを特徴とするシステム。
【請求項２】
前記電磁互換性フィルタは少なくとも一つのインダクタンスと前記干渉の低インピーダンスを備える有効分岐モジュール（３２）とを包含することを特徴とする請求項１に記載のシステム。
【請求項３】
前記電磁互換性フィルタは前記供給ラインに伝送された同相モード干渉を抑圧するように配列されていることを特徴とする請求項１或いは２に記載のシステム。
【請求項４】
前記供給ラインは単相或いは三相主ラインであることを特徴とする請求項１乃至３のいずれか一項に記載のシステム。
【請求項５】
前記電磁互換性フィルタはさらに相対アースコンデンサ（１２）から成ることを特徴とする請求項１乃至４のいずれか一項に記載のシステム。
【請求項６】
前記電磁互換性フィルタはインピーダンスコンバータ（４２）から成ることを特徴とする請求項１乃至５のいずれか一項に記載のシステム。
【請求項７】
前記電磁互換性フィルタは変圧器から成り、その変圧器の一方の捲線が前記供給ラインに直列に接続され、その変圧器の他方の捲線が負インピーダンスコンバータに接続されていることを特徴とする請求項１乃至６のいずれか一項に記載のシステム。
【請求項８】
前記電磁互換性フィルタは前記供給ラインに外乱信号を検出する電圧或いは電流検出手段（４７）と、前記外乱信号に基づいた修正信号を発生させる能動回路（４９、５０）と、前記供給ラインに前記修正信号を投入する信号投入手段（４９、５０）とから成ることを特徴とする請求項１乃至７のいずれか一項に記載のシステム。
【請求項９】
前記電磁互換性フィルタは前記供給ラインの電圧より低い電圧を前記能動回路に供給する電圧減少手段（７６ａ，７６ｂ，７６ｃ）から成ることを特徴とする請求項１乃至８のいずれか一項に記載のシステム。
【発明の詳細な説明】
【技術分野】
【０００１】
この出願は、工作機械や工業的動力工具装置において不望の騒音成分を抑圧する有効電気フィルタに関する。更に特に、専ら電気フィルタではなく、この出願は電気工作機械の主ライン或いは電気供給ラインの電磁互換性フィルタを扱う。
【背景技術】
【０００２】
電磁互換性（ＥＭＣ）は今日の電気と電子工業における増加した臨界因子である。多数の電気回路や器具が存在し、無線周波数電磁干渉（ＲＦ  ＥＭＩ）或いは他の回路や器具により発生された干渉を受けがちである。
【０００３】
電気装置における伝導騒音と外乱は一般に騒音発生装置或いは騒音検知装置の主供給ラインにローパスＬＣフィルタを挿入することによって取り扱われる。そのようなフィルタは不望の周波数成分を無害レベルに減じる。クラスＬ、Ｔとｐｉフィルタトポロジーを包含する多くのフィルタトポロジーが使用され得る。
【０００４】
欧州特許出願公開第１０６９６７３号明細書（特許文献１）は受動要素から成る三相騒音抑圧フィルタの例を示す。  
【０００５】
受動ＥＭＣフィルタは多数の出願において有効に証明されていた。しかしながら、この技術の欠点は、必要な減衰レベルを得るために高値コンデンサとインダクタンスはこの出願には必要とされている。生じるフィルタの寸法と価格は、特に同相モード騒音の高減衰が必要とされるときに、主としてこれら大きな成分によって決定される。さらに、漏れ電流がフィルタコンデンサの容量に直接に比例している。
【０００６】
電気工作機械は漏れ電流の問題に関する特殊な場合を示す。特に工作機械が残留電流装置（ＲＣＤ）、例えば電力出口に於ける安全装置と関連して使用されるときに、その安全装置は定義された閾値を越える漏れ電流の検出により電力供給を自動的に遮断する。
【０００７】
この場合にＥＭＣにより誘導された無害漏れ電流は工作機械のアースに対して可能な障害電流に加えて、ＲＣＤの閾値を効果的に減らす。このとき、ＲＣＤの尚早干渉が追従する。
【０００８】
工作機械とのそれ以上の関係は、しばしば火災保護規制が低レベルの許容漏れ電流を負わせる。
【０００９】
ＥＭＣフィルタによりアースに対する漏れ電流はＹ濾過コンデンサの値を減少させることにより減らされ得る。しかしながら、これはフィルタの効率性に厳しく影響を与える。
【００１０】
フィルタチョークのインダクタンス値を増加することはＹコンデンサの低い値を補償できるが、しかしある範囲にまで補償できる。より大きいインダクタンスは減衰を制限するより大きい漂遊コンデンサを有し、従来のものよりさらに高価で嵩張っている。さらに、大きなインダクタンスと小容量の組合せはフィルタの安定性を減衰させ、不望の共振振動源である。    
【００１１】
上記問題は、三相の一つがアース電位である例えば日本の分配送電網により採用されたシステムような非対称三相システムの場合において敏感である。大きな漏れ電流は、スターセンター点とアースの間に接続された濾過コンデンサにおける漏れからこの構成において誘導できる。
【特許文献１】欧州特許出願公開第１０６９６７３号明細書
【発明の開示】
【発明が解決しようとする課題】
【００１２】
本発明の目的は、低漏れ電流を展示する工作機械のＥＭＣフィルタを提供することである。
【００１３】
本発明の目的は、さらに、公知装置の生産費より安い生産費をもつ工作機械のＥＭＣフィルタを提供することである。
【００１４】
本発明の他の目的は、公知装置よりコンパクトである工作機械のＥＭＣフィルタを提供することである。
【課題を解決するための手段】
【００１５】
これらの目的は、添付独立した請求項の主題である装置によって達成され、任意且つ追加的有用な特徴が従属請求項に導入されている。
【発明を実施するための最良の形態】
【００１６】
図１は、電流補償コイル１５と、相関コンデンサ１１と、二つのＹ相対アースコンデンサ１２とから成る公知タイプのＥＭＣ受動フィルタを表す。Ｙコンデンサ１２は主ラインに伝送される同相モード干渉の抑圧において有効であり、まだ、コンデンサは漏れ電流の重要な原因源である。
【００１７】
発明の一態様によると、ＥＭＣフィルタは従来の受動ＥＭＣフィルタにおけるように漏れ電流を増加することなしに、主ラインにより伝導された不望のＲＦ  ＥＭＩを抑圧する有効要素を包含する。図２を参照すると、この発明によるＥＭＣフィルタは電流補償コイル１５とアースに分岐され且つ工作機械３１に到達することから防止されるＲＦ  ＥＭＩ成分の低インピーダンスを表す有効分岐モジュール３２とから成る。有効分岐モジュールの有効性は電子部の最終応答時間により周波数スペクトルの上部分に限定され得る。この場合に、無視し得る漏れを導入する二つの小さいＹコンデンサは高周波数減衰を改良するように加えられ得る。
【００１８】
図１と２に表現されたＥＭＣフィルタと工作機械は単相装置として示されている。しかしながら、三相或いは多相装置とフィルタが可能であり、本発明の範囲内に構成されていることが理解されている。
【００１９】
有効分岐モジュール３２の例は図３を参照して議論されている。この例は三相回路を紹介される。発明の範囲内では、単相回路のために、この三相回路を修正することが可能である。有効分岐３２は、電力ライン３３ａ，３３ｂと３３ｃに現れる高周波数電圧成分、顕著な騒音を減衰させるコンデンサバイパスとして働く。それはインピーダンス３７によってＲＦ  ＥＭＩを分岐する二つの補充追従トランジスタ３４から成る。
【００２０】
有効分岐モジュール３２の他の例は図７に表現されている。有効モジュール３２は、不望の騒音が期待される周波数においてアース電位に接近する電位で入力点７２を保持するように配列されている。コンデンサ７６ａ，７６ｂ、７６ｃと７７ａ，７７ｂ、７７ｃは有効分岐の供給コイルの電圧デイバイダーを形成する。この方法では、有効分岐モジュールは主電圧より低い電圧、例えば主電圧の半分を供給される。これは、幾つかの成分の破壊の場合にさえ、障害電流を無害レベルに減少させ、大きな漂遊インダクタンスを有するヒューズの使用を回避する。さらに、有効分岐における装置電圧はコンデンサデイバイダーにより管理可能なレベルに保持される。
【００２１】
前記例は、三相主供給の場合を参照する。しかしながら、本発明はこの配置に限定されていなく、本例は単相供給ラインで作用するように容易に修正され得る。
【００２２】
図４は本発明によるＥＭＣフィルタの他の態様を概略的に表す。フィルタは負インピーダンスコンバータ（ＮＩＣ）４２から成り、それにより変圧器の捲線４１と４４は電力ライン４５、４５’に現れる騒音に大きな直列インピーダンスとして現れる。図４の回路は、漏れ電流に無視し得る如く貢献する小さいＹコンデンサによって工作機械装置３１にＥＭＩの有効な濾過を可能とする。
【００２３】
有益には、この場合には、Ｙコンデンサは全体に全く省略される。ＮＩＣ回路はライン４０と４５における騒音を打ち消す電圧源として働く。
【００２４】
図５は電流センサー４７と４７’と電力ライン４５と４５’において騒音修正電流を出す能動回路４８とから成り、工作機械３１に働いたＥＭＩを打ち消す本発明によるフィルタの他の態様を表す。回路４８と供給ライン４５と４５’の間の絶縁は絶縁コンデンサ４９と４９’により設けられている。電流センサー４７は例えば供給ライン４５に沿って循環するＲＦ  ＥＭＩを読み取る検出コイルから成る。
【００２５】
さらに、例え表現されないとしても、電流センサーの一つが省略され得て、態様では、ラインの一つのみが検知され得ることが理解されるべきである。他の態様では、電磁コイルは両電力ライン４５と４５’と接続されて、例えば同相モード騒音成分を検知する。
【００２６】
図６は、有効モジュール４９により発生された修正信号が供給ライン４５と４５’を修正信号に電磁的に接続する変圧器５０によって供給ライン４５と４５’に送られるこの発明のフィルタの他の態様を表す。幾つかの形態のコイルと捲線ベイがこの目的に使用されることが理解されるべきである。この一つの有益な態様では、変圧器５０が電力ライン４５、４５’に関して電流補償インピーダンスを構成する。
【００２７】
図５と６の実施例の表現されなかった態様には、電流センサー４７と４７’が変圧器と或いは電圧センサーとしての検出コンデンサと交換され得る。同様に本発明のこれらの実施例は三相構造のために適用され得た。
【００２８】
回路４８がアースに直列に接続されていなく、必要に応じて完全に浮動され得たことが前記実施例の利点である。この方法では、漂遊漏れ電流の不望の可能性がさらに減少される。
【００２９】
発明のＥＭＣフィルタは、好ましくは、同様に主供給ラインに接続された工作機械から成るシステムに包含され、ＥＭＣフィルタが前記供給ラインに沿って伝送されたＥＭＩの減衰を備える。
【図面の簡単な説明】
【００３０】
【図１】公知タイプのＥＭＣ受動フィルタを表す。
【図２】本発明の一態様による工作機械に接続されたＥＭＣフィルタを表す。
【図３】図２のフィルタの有効部品を表す。
【図４】本発明の一態様による負インピーダンスコンバータから成るフィルタの簡略化線図を示す。
【図５】本発明の一態様による電流検出検出器から成るフィルタの簡略化線図を示す。
【図６】図５のフィルタの別態様を示す。
【図７】図２のフィルタの分岐モジュールの他の態様を示す。
【符号の説明】
【００３１】
１１．．．．相関コンデンサ  
１２．．．．Ｙ相対アースコンデンサ
１５．．．．電流補償コイル
３１．．．．工作機械
３２．．．．有効分岐モジュール
３３ａ，３３ｂ，３３ｃ．．．電力ライン
３４．．．．トランジスタ
３７．．．．インピーダンス３７
４０．．．．電力ライン
４２．．．．負インピーダンスコンバータ（ＮＩＣ）
４１，４４．．．捲線
４５，４５’．．．電力ライン
４７，４７’．．．電流センサー
４８．．．．能動回路
４９，４９’．．．コンデンサ
５０．．．．変圧器
【図１】
2008530964.tif 000003
【図２】
2008530964.tif 000004
【図３】
2008530964.tif 000005
【図４】
2008530964.tif 000006
【図５】
2008530964.tif 000007
【図６】
2008530964.tif 000008
【図７】
2008530964.tif 000009
【国際調査報告】
2008530964.tif 000010
2008530964.tif 000011
2008530964.tif 000012